(57)【要約】【課題】  ユーザが、どちらの表示部を利用している場合であっても、各表示部に共用される複数の操作キーを、直感的に操作することができる両面表示装置を提供する。【解決手段】  両面表示装置（１０）は、表示部（１１ａ）と、表示部（１１ａ）の背面側に設けられた表示部（１１ｂ）と、各々個別に行われる各表示部（１１ａ，１１ｂ）についての設定のために共用される操作キー群（１３）と、各操作キー（１３ａ〜１３ｄ）に前記設定を行うための設定機能を割り当てるマイコン部（２８）とを含み、マイコン部（２８）は、表示部（１１ａ）についての設定を行うための設定機能を割り当てる場合には、第１の順序で各操作キー（１３ａ〜１３ｄ）に対して設定機能を割り当て、表示部（１１ｂ）についての設定を行うための設定機能を割り当てる場合には、第１の順序を反転させた第２の順序で各操作キー（１３ａ〜１３ｄ）に対して設定機能を割り当てる。【選択図】      図１
2014224959.tif 000002
【特許請求の範囲】
【請求項１】
画像を表示可能な表示面を有する第１の表示部と、
画像を表示可能な表示面を有し、前記第１の表示部の背面側に設けられた第２の表示部と、
各々個別に行われる前記第１の表示部についての設定と前記第２の表示部についての設定のために共用される複数の操作キーと、
前記設定を行うための複数の設定機能を、前記複数の操作キーのそれぞれに割り当てる制御部とを含む両面表示装置であって、
前記制御部は、
前記第１の表示部についての設定のために前記複数の設定機能を各操作キーに割り当てる場合には、予め定める第１の順序で前記複数の設定機能が並ぶように各操作キーに対して設定機能を割り当て、
前記第２の表示部についての設定のために前記複数の設定機能を各操作キーに割り当てる場合には、前記第１の順序を反転させた第２の順序で前記複数の設定機能が並ぶように各操作キーに対して設定機能を割り当てることを特徴とする両面表示装置。
【請求項２】
前記制御部は、
前記複数の操作キーに対して設定機能が割り当てられている状態において、予め定める条件が満たされると、前記複数の操作キーに対して割り当てられている設定機能を解除して、
前記第１の順序で前記複数の設定機能が並ぶように各操作キーに対して設定機能を割り当てる機能を、前記複数の操作キーのうちの予め定める第１の操作キーに割り当てるとともに、
前記第２の順序で前記複数の設定機能が並ぶように各操作キーに対して設定機能を割り当てる機能を、前記複数の操作キーのうちの前記第１の操作キーとは異なる予め定める第２の操作キーに割り当てることを特徴とする請求項１に記載の両面表示装置。
【請求項３】
前記制御部は、
前記複数の操作キーに対して、前記第１の順序で前記複数の設定機能が並ぶように設定機能が割り当てられている状態では、前記第２の表示部の表示面に、前記第１の表示部が設定中であることを示す情報を表示させ、
前記複数の操作キーに対して、前記第２の順序で前記複数の設定機能が並ぶように設定機能が割り当てられている状態では、前記第１の表示部の表示面に、前記第２の表示部が設定中であることを示す情報を表示させることを特徴とする請求項１または２に記載の両面表示装置。
【発明の詳細な説明】
【技術分野】
【０００１】
本発明は、両面表示装置に関する。
【背景技術】
【０００２】
従来から、特許文献１に開示されるように、それぞれ画像を表示可能な表示面を有する２つの表示部を、その表示面とは反対側の背面同士を対向させて構成される両面表示装置が提案されている。
【０００３】
この特許文献１に開示される両面表示装置では、表示部ごとに、表示面の周囲に、その表示面に表示される画面のコントラストおよび輝度を調整するための機能が割り当てられた複数の操作キー（ボタン）が設けられている。
【０００４】
しかしながら、この特許文献１のように、表示部ごとに複数の操作キーを設ける構成では、部品点数が多くなり製造コストが増大してしまうとともに、構造自体も複雑化してしまうという問題がある。
【０００５】
そこで、このような問題を解決するための方法として、各表示部についての設定を行うために共用される複数の操作キーを設けることが考えられる。図６は、各表示部１０１ａ，１０１ｂで共用される操作キー群１０３が設けられた従来技術に係る両面表示装置１００の外観を概略的に示す斜視図である。
【０００６】
図６に示す両面表示装置１００は、表示面１０２ａを有する表示部１０１ａと、表示面１０２ｂ（以下、表示面１０２ａ，１０２ｂを区別しない場合には、「表示面１０２」と記す）を有する表示部１０１ｂとが、その背面同士を対向させて筐体１０４に保持されて構成され、筐体１０４における上壁部１０４ａには、表示面１０２ａに表示される画面および表示面１０２ｂに表示される画面の各種調整を個別に行うために共用される、複数の操作キー１０３ａ〜１０３ｄから成る操作キー群１０３が設けられている。
【０００７】
操作キー群１０３は、図６に示す例では、画面の調整を行うためのメニュー画面を表示面１０２に表示させる機能が予め割り当てられたメニューキー１０３ａと、メニュー画面において調整対象の項目を選択するための機能が予め割り当てられたセレクトキー１０３ｂと、選択された調整対象の項目について、設定パラメータを減少あるいは増大させる機能がそれぞれ予め割り当てられたパラメータダウンキー１０３ｃおよびパラメータアップキー１０３ｄとから構成されている。
【０００８】
この操作キー群１０３は、表示面１０２ａに表示される画面を視聴するユーザが、その画面の各種調整を行う場合に用いられるとともに、表示面１０２ｂに表示される画面を視聴するユーザが、その画面の各種調整を行う場合にも用いられる。
【０００９】
しかしながら、このように構成される両面表示装置１００では、表示面１０２ａに表示される画面を視聴するユーザにとっての操作キー群１０３のキー配列と、表示面１０２ｂに表示される画面を視聴するユーザにとっての操作キー群１０３のキー配列とは異なるものとなってしまう。
【００１０】
具体的には、表示面１０２ａに表示される画面を視聴するユーザにとっては、操作キー群１０３は、メニューキー１０３ａ、セレクトキー１０３ｂ、パラメータダウンキー１０３ｃ、パラメータアップキー１０３ｄがこの順序で左から順に並んでおり、表示面１０２ｂに表示される画面を視聴するユーザにとっては、操作キー群１０３は、メニューキー１０３ａ、セレクトキー１０３ｂ、パラメータダウンキー１０３ｃ、パラメータアップキー１０３ｄがこの順序で右から順に並ぶこととなる。
【００１１】
このように、両面表示装置１００では、表示部１０１ａと表示部１０１ｂのどちらを利用しているのかによって操作キー群１０３のキー配列が異なるものとなってしまうため、ユーザは、操作キー群１０３に対して直感的にキー操作を行うことができない。すなわち、このような構成の両面表示装置１００では、ユーザの操作性がよくないという問題がある。
【先行技術文献】
【特許文献】
【００１２】
【特許文献１】実用新案登録第３０７８４９２号公報
【発明の概要】
【発明が解決しようとする課題】
【００１３】
本発明の目的は、２つの表示部とともに、各表示部についての設定を個別に行うために共用される複数の操作キーを備える両面表示装置において、ユーザが、どちらの表示部を利用している場合であっても、複数の操作キーを直感的に操作することができる両面表示装置を提供することである。
【課題を解決するための手段】
【００１４】
本発明は、画像を表示可能な表示面を有する第１の表示部と、
画像を表示可能な表示面を有し、前記第１の表示部の背面側に設けられた第２の表示部と、
各々個別に行われる前記第１の表示部についての設定と前記第２の表示部についての設定のために共用される複数の操作キーと、
前記設定を行うための複数の設定機能を、前記複数の操作キーのそれぞれに割り当てる制御部とを含む両面表示装置であって、
前記制御部は、
前記第１の表示部についての設定のために前記複数の設定機能を各操作キーに割り当てる場合には、予め定める第１の順序で前記複数の設定機能が並ぶように各操作キーに対して設定機能を割り当て、
前記第２の表示部についての設定のために前記複数の設定機能を各操作キーに割り当てる場合には、前記第１の順序を反転させた第２の順序で前記複数の設定機能が並ぶように各操作キーに対して設定機能を割り当てることを特徴とする両面表示装置である。
【００１５】
また本発明は、前記制御部は、
前記複数の操作キーに対して設定機能が割り当てられている状態において、予め定める条件が満たされると、前記複数の操作キーに対して割り当てられている設定機能を解除して、
前記第１の順序で前記複数の設定機能が並ぶように各操作キーに対して設定機能を割り当てる機能を、前記複数の操作キーのうちの予め定める第１の操作キーに割り当てるとともに、
前記第２の順序で前記複数の設定機能が並ぶように各操作キーに対して設定機能を割り当てる機能を、前記複数の操作キーのうちの前記第１の操作キーとは異なる予め定める第２の操作キーに割り当てることを特徴とする。
【００１６】
また本発明は、前記制御部は、
前記複数の操作キーに対して、前記第１の順序で前記複数の設定機能が並ぶように設定機能が割り当てられている状態では、前記第２の表示部の表示面に、前記第１の表示部が設定中であることを示す情報を表示させ、
前記複数の操作キーに対して、前記第２の順序で前記複数の設定機能が並ぶように設定機能が割り当てられている状態では、前記第１の表示部の表示面に、前記第２の表示部が設定中であることを示す情報を表示させることを特徴とする。
【発明の効果】
【００１７】
本発明によれば、第１の表示部を利用しているユーザおよび第２の表示部を利用しているユーザのいずれにとっても、同じ配列となるように各操作キーに対して機能が割り当てられるので、ユーザは、どちらの表示部を利用しているかに関係なく、複数の操作キーを直感的に操作することができる。このように、ユーザの操作性をよくすることができる。
【図面の簡単な説明】
【００１８】
【図１】本発明の一実施形態に係る両面表示装置１０の外観を概略的に示す図であり、図１（ａ）は両面表示装置１０の斜視図を示し、図１（ｂ）は両面表示装置１０の側面図を示している。
【図２】本発明の一実施形態に係る両面表示装置１０の構成の一例を概略的に示すブロック図である。
【図３Ａ】本実施形態に係る両面表示装置１０において実行される画面調整処理の処理手順を示すフローチャートである。
【図３Ｂ】本実施形態に係る両面表示装置１０において実行される画面調整処理の処理手順を示すフローチャートである。
【図４】画面調整処理実行中の表示部１１ａ，１１ｂにおける画面遷移を示す図であり、図４（ａ）〜図４（ｄ）は表示部１１ａにおける画面遷移を示し、図４（ｅ）〜図４（ｈ）は表示部１１ｂにおける画面遷移を示している。
【図５】メニュー画面Ｍ３の一例を示す図であり、図４（ｃ）に示されているメニュー画面Ｍ３を拡大して示している。
【図６】各表示部１０１，１０２で共用される操作キー群１０３が設けられた従来技術に係る両面表示装置１００の外観を概略的に示す斜視図である。
【発明を実施するための形態】
【００１９】
図１は、本発明の一実施形態に係る両面表示装置１０の外観を概略的に示す図であり、図１（ａ）は両面表示装置１０の斜視図を示し、図１（ｂ）は両面表示装置１０の側面図を示している。
【００２０】
両面表示装置１０は、それぞれ画像が表示される矩形状の表示面１２ａ，１２ｂを有する２つの表示部１１ａ，１１ｂと、２つの表示部１１ａ，１１ｂで共用される操作キー群１３と、２つの表示部１１ａ，１１ｂを一体的に保持する筐体１４とを含んで構成されている。以下、表示部１１ａ，１１ｂを区別しない場合には、「表示部１１」と記し、表示面１２ａ，１２ｂを区別しない場合には、「表示面１２」と記すこととする。
【００２１】
表示部１１は、たとえば液晶パネルおよびバックライトを備える液晶ディスプレイ装置や、有機ＥＬ（Electro-Luminescence）ディスプレイ装置などの公知の表示装置によって実現される。
【００２２】
本実施形態では、両面表示装置１０は、図１に示すように、２つの表示部１１ａ，１１ｂが、その表示面１２ａ，１２ｂとは反対側の面である背面同士が互いに対向し、各表示面１２ａ，１２ｂが平行となるように、外形が直方体状の筐体１４によって保持されて構成されている。
【００２３】
筐体１４は、２つの表示部１１ａ，１１ｂを、表示面１２の面方向外方から外囲する矩形枠状の周壁部を有し、該周壁部は、各表示面１２ａ，１２ｂの上縁部に隣接して設けられる上壁部１４ａと、各表示面１２ａ，１２ｂの下縁部に隣接して設けられる下壁部１４ｂと、表示面１２ａの左縁部および表示面１２ｂの右縁部に隣接して設けられる側壁部１４ｃと、表示面１２ａの右縁部および表示面１２ｂの左縁部に隣接して設けられる側壁部１４ｄとから成っている。
【００２４】
そして、筐体１４における上壁部１４ａには、両面表示装置１０の厚み方向において表示面１２ａと表示面１２ｂとの略中間の位置に、複数の、本実施形態では４つの操作キー１３ａ〜１３ｄが、各表示面１２ａ，１２ｂの上縁部の延在方向に沿って一列に並んで設けられている。
【００２５】
本実施形態では、両面表示装置１０は、各表示面１２ａ，１２ｂが平行になるように、すなわち図１（ｂ）に示すように側方から見て外形が矩形状となるように構成されているが、他の実施形態では、各表示面１２ａ，１２ｂがそれぞれ斜め上方に臨むように、すなわち側方から見て外形が台形状となるように構成されてもよく、あるいは、各表示部１１ａ，１１ｂを別個の筐体に収容し、各筐体の上端部同士をヒンジで回動可能に連結することによって構成されてもよい。なお、いずれの場合においても、操作キー群１３は、両面表示装置１０の上壁部、あるいは上端部の連結部分に設けられる。
【００２６】
図２は、本発明の一実施形態に係る両面表示装置１０の構成の一例を概略的に示すブロック図である。両面表示装置１０は、図２に示すように、表示部１１ａ，１１ｂと、入力部２１と、メモリ部２２と、入力選択部２３と、画像処理部２４と、操作部２５と、外部Ｉ／Ｆ部２６と、制御コネクタ２７と、マイコン部２８（制御部）とを含んで構成されている。
【００２７】
入力部２１は、たとえばＶＧＡ端子、ＤＶＩ端子、ＤｉｓｐｌａｙＰｏｒｔ端子およびＨＤＭＩ（登録商標）端子によって実現される複数の、本実施形態では３つの入力端子２１ａ〜２１ｃを含み、外部から映像信号が入力される。
【００２８】
メモリ部２２は、たとえばフラッシュメモリなどの半導体メモリによって実現され、両面表示装置１０の制御プログラムとともに、表示部１１ａ，１１ｂごとに、表示面１２ａ，１２ｂに表示される画面に関する画面設定情報が格納される。
【００２９】
各画面設定情報には、入力部２１を構成する３つの入力端子２１ａ〜２１ｃのうちの一の入力端子を示す入力信号選択情報、画面の位相情報、画面の水平位置情報、画面の垂直位置情報、画面の周波数情報、画面のブライトネス（輝度）情報、および画面のコントラスト情報などが含まれる。
【００３０】
入力選択部２３は、メモリ部２２に格納されている画面設定情報に含まれる入力信号選択情報に基づいて、表示部１１ａ，１１ｂごとに、３つの入力端子２１ａ〜２１ｃの中から一の入力端子を選択する。なお、各表示部１１ａ，１１ｂの入力信号選択情報に同一の入力端子が設定されている場合には、各表示面１２ａ，１２ｂには、同一の映像が表示される。
【００３１】
画像処理部２４は、メモリ部２２に格納されている画面設定情報に含まれる各種の情報などに基づいて、入力選択部２３によって選択された入力端子に入力される映像信号を処理する。
【００３２】
操作部２５には、前述の操作キー群１３のほか、両面表示装置１０に電源を投入するための電源ボタンや、各表示部１１ａ，１１ｂに設けられるスピーカの出力音量を調整するための音量調整ボタンなどが含まれる。外部Ｉ／Ｆ部２６は、外部から制御するためのインタフェース部であり、制御コネクタ２７は、たとえばＲＳ−２３２Ｃ端子およびＬＡＮ端子などによって実現される。
【００３３】
マイコン部２８は、メモリ部２２に格納される制御プログラムを実行して各部の動作を制御するとともに、操作キー群１３に含まれる複数の操作キー１３ａ〜１３ｄに対して、各表示部１１ａの設定を行うための所定の設定機能をそれぞれ割り当てる処理を実行する。
【００３４】
本実施形態に係る両面表示装置１０では、これら複数の操作キー１３ａ〜１３ｄに対して、所定の設定機能が予め与えられているのではなく、マイコン部２８が、表示部１１ａ，１１ｂのうちのいずれに対する設定モードであるのかによって、各操作キー１３ａ〜１３ｄに対して割り当てる設定機能を変更する。
【００３５】
より詳細には、マイコン部２８は、表示部１１ａを利用しているユーザ（すなわち、表示面１２ａと正対しているユーザ）にとっても、表示部１１ｂを利用しているユーザ（すなわち、表示面１２ｂと正対しているユーザ）にとっても、操作キー群１３における設定機能の配列が同じとなるように、各操作キー１３ａ〜１３ｄに対して設定機能を割り当てるように構成されている。
【００３６】
以下、各操作キー１３ａ〜１３ｄに対して割り当てられる設定機能が、画面の調整を行うためのメニュー画面Ｍ３（図５参照）を表示面１２にＯＳＤ（On Screen Display）表示させる機能（以下、「メニュー表示機能」と称する）、メニュー画面Ｍ３に含まれる複数の調整対象の項目の中から一の項目を選択するための機能（以下、「セレクト機能」と称する）、選択されている調整対象の項目について、設定パラメータを減少させる機能（以下、「パラメータダウン機能」と称する）、選択されている調整対象の項目について、設定パラメータを増加させる機能（以下、「パラメータアップ機能」と称する）の４つの機能である場合を例に挙げて、本実施形態に係る両面表示装置１０において、表示部１１の画面を調整する処理について具体的に説明する。
【００３７】
図３Ａおよび図３Ｂは、本実施形態に係る両面表示装置１０において実行される画面調整処理の処理手順を示すフローチャートである。図４は、画面調整処理実行中の表示部１１ａ，１１ｂにおける画面遷移を示す図であり、図４（ａ）〜図４（ｄ）は表示部１１ａにおける画面遷移を示し、図４（ｅ）〜図４（ｈ）は表示部１１ｂにおける画面遷移を示している。また、図５は、メニュー画面Ｍ３の一例を示す図であり、図４（ｃ）に示されているメニュー画面Ｍ３を拡大して示している。
【００３８】
電源ボタンが操作されることによって両面表示装置１０に電源が投入されると、画面調整処理が開始され、ステップｓ１に進む。電源が投入された両面表示装置１０では、入力選択部２３が、メモリ部２２に格納されている各表示部１１ａ，１１ｂの画面設定情報に含まれる各入力信号選択情報に基づいて入力端子を選択し、画像処理部２４が、選択された各入力端子に入力される映像信号に所定の処理を行うことで、各表示部１１ａ，１１ｂに、処理後の映像信号による映像がそれぞれ表示される。
【００３９】
ステップｓ１で、マイコン部２８は、第１設定時間を計測するためのタイマーをセットし、ステップｓ２に進む。本実施形態では、第１設定時間は、たとえば１０秒に設定されている。
【００４０】
ステップｓ２で、マイコン部２８は、メモリ部２２からデフォルトキー設定情報を読み出し、各操作キー１３ａ〜１３ｄに対して、前記４つの設定機能を割り当てて、ステップｓ３に進む。デフォルトキー設定情報は、予めメモリ部２２に格納されている。
【００４１】
本実施形態では、デフォルトキー設定情報には、操作キー１３ａにパラメータアップ機能、操作キー１３ｂにパラメータダウン機能、操作キー１３ｃにセレクト機能、操作キー１３ｄにメニュー表示機能を割り当てる旨の情報が含まれている。
【００４２】
以下、メニュー表示機能が割り当てられた操作キーを「メニューキー」と称し、セレクト機能が割り当てられた操作キーを「セレクトキー」と称し、パラメータダウン機能が割り当てられた操作キーを「パラメータダウンキー」と称し、パラメータアップ機能が割り当てられた操作キーを「パラメータアップキー」と称することとする。
【００４３】
ステップｓ３で、マイコン部２８は、セット時点から第１設定時間、すなわち１０秒が経過したか否かを判定し、経過した場合にはステップｓ４に進み、経過していない場合には、ステップｓ３の処理を繰返す。
【００４４】
そして、ステップｓ４で、マイコン部２８は、各操作キー１３ａ〜１３ｄに対して割り当てられている設定機能の設定をクリアし、ステップｓ５に進む。すなわち、このステップｓ４の処理が行われることによって、各操作キー１３ａ〜１３ｄは、前記４つの設定機能が割り当てられていない状態となる。以下、この状態を機能クリア状態と称する。
【００４５】
このように、本実施形態では、両面表示装置１０の電源投入直後には、各操作キー１３ａ〜１３ｄに対して、デフォルトキー設定情報で定められた設定機能が割り当てられるように構成されているが、他の実施形態では、このステップｓ１〜ステップｓ４の処理を省略することにより、両面表示装置１０の電源投入直後に機能クリア状態となるように構成されてもよい。
【００４６】
ステップｓ５で、マイコン部２８は、操作キー群１３における操作キー１３ａが操作されたか否かを判定し、操作された場合にはステップｓ７に進み、操作されていない場合にはステップｓ６に進む。
【００４７】
ステップｓ６で、マイコン部２８は、操作キー群１３における操作キー１３ｄが操作されたか否かを判定し、操作された場合にはステップｓ１０に進み、操作されていない場合にはステップｓ５へ戻る。
【００４８】
本実施形態では、機能クリア状態において操作キー１３ａが操作されると、表示部１１ａに対する画面設定モードへ移行し、機能クリア状態において操作キー１３ｄが操作されると、表示部１１ｂに対する画面設定モードへ移行するように予め設定されている。
【００４９】
このように、本実施形態では、４つの操作キー１３ａ〜１３ｄを一旦、機能クリア状態とすることによって、その４つの操作キー１３ａ〜１３ｄの中から予め選択された２つの操作キー１３ａ，１３ｄを、表示部１１ａあるいは表示部１１ｂに対する画面設定モードへ移行させるためのトリガキーとしている。すなわち、マイコン部２８は、機能クリア状態とした後、２つの操作キー１３ａ，１３ｄに対して、表示部１１ａあるいは表示部１１ｂに対する画面設定モードへ移行させるための機能を割り当てている。したがって、画面設定モードへ移行させるためのトリガキーを別途に設ける必要がなく、部品点数を低減することができる。
【００５０】
本実施形態では、操作キー１３ａを表示部１１ａのためのトリガキーとし、操作キー１３ｄを表示部１１ｂのためのトリガキーとしているが、これに限らず、操作キー１３ｄを表示部１１ａのためのトリガキーとし、操作キー１３ａを表示部１１ｂのためのトリガキーとしてもよく、あるいは、操作キー１３ｂを表示部１１ａのためのトリガキーとし、操作キー１３ｃを表示部１１ｂのためのトリガキーとしてもよい。
【００５１】
すなわち、表示部１１ａを利用しているユーザにとっての、操作キー群１３における表示部１１ａのためのトリガキーの位置と、表示部１１ｂを利用しているユーザにとっての、操作キー群１３における表示部１１ｂのためのトリガキーの位置とが一致するように、４つの操作キー１３ａ〜１３ｄの中から２つの操作キーを選択するのが好ましい。このように選択しておくことにより、ユーザは、どちらの表示部１１ａ，１１ｂを利用しているかに関係なく、直感的にトリガキーを操作することができる。
【００５２】
ステップｓ７で、マイコン部２８は、メモリ部２２から表示部１１ａ用に予め作成された第１のキー設定情報を読み出し、各操作キー１３ａ〜１３ｄに対して、前記４つの設定機能を割り当てて、ステップｓ８に進む。第１のキー設定情報は、予めメモリ部２２に格納されている。
【００５３】
本実施形態では、第１のキー設定情報には、操作キー１３ａにメニュー表示機能、操作キー１３ｂにセレクト機能、操作キー１３ｃにパラメータダウン機能、操作キー１３ｄにパラメータアップ機能を割り当てる旨の情報が含まれている。
【００５４】
ステップｓ８で、マイコン部２８は、表示部１１ａに対して、表示面１２ａに表示される画面の調整が可能なことを示すメッセージＭ１（図４参照）をＯＳＤ表示させ、ステップｓ９に進む。表示部１１ａを利用しているユーザは、このメッセージＭ１を視認することによって、画面調整のために操作キー群１３を利用できることを把握することができる。
【００５５】
ステップｓ９で、マイコン部２８は、表示部１１ｂに対して、表示部１１ａが画面調整中であることを示すメッセージＭ２（図４参照）をＯＳＤ表示させ、ステップｓ１３に進む。表示部１１ｂを利用しているユーザは、このメッセージＭ２を視認することによって、操作キー群１３を現在利用することができない状態であることを把握することができる。
【００５６】
ステップｓ１０で、マイコン部２８は、メモリ部２２から表示部１１ｂ用に予め作成された第２のキー設定情報を読み出し、各操作キー１３ａ〜１３ｄに対して、前記４つの設定機能を割り当てて、ステップｓ１１に進む。第２のキー設定情報は、予めメモリ部２２に格納されている。
【００５７】
本実施形態では、第２のキー設定情報には、操作キー１３ａにパラメータアップ機能、操作キー１３ｂにパラメータダウン機能、操作キー１３ｃにセレクト機能、操作キー１３ｄにメニュー表示機能を割り当てる旨の情報が含まれている。
【００５８】
すなわち、第２のキー設定情報は、第１のキー設定情報によって各操作キー１３ａ〜１３ｄに割り当てられる各設定機能の並び順を反転させた並び順で、各操作キー１３ａ〜１３ｄに対して設定機能が割り当てられるように作成されている。
【００５９】
ステップｓ１１で、マイコン部２８は、表示部１１ｂに対して、表示面１２ａに表示される画面の調整が可能なことを示すメッセージＭ１をＯＳＤ表示させ、ステップｓ１２に進む。表示部１１ｂを利用しているユーザは、このメッセージＭ１を視認することによって、画面調整のために操作キー群１３を利用できることを把握することができる。
【００６０】
ステップｓ１２で、マイコン部２８は、表示部１１ａに対して、表示部１１ｂが画面調整中であることを示すメッセージＭ２をＯＳＤ表示させ、ステップｓ１３に進む。表示部１１ａを利用しているユーザは、このメッセージＭ２を視認することによって、操作キー群１３を現在利用することができない状態であることを把握することができる。
【００６１】
ステップｓ１３で、マイコン部２８は、各操作キー１３ａ〜１３ｄに対して現在設定されている設定機能を示す情報をメモリ部２２に記憶し、ステップｓ１４に進む。ステップｓ１４で、第２設定時間を計測するためのタイマーをセットし、ステップｓ１５に進む。本実施形態では、第２設定時間は、たとえば２０秒に設定されている。
【００６２】
ステップｓ１５で、マイコン部２８は、メニューキーが操作されたか否かを判定し、操作されていない場合にはステップｓ１６に進み、操作された場合にはステップｓ１７に進む。
【００６３】
ステップｓ１６で、マイコン部２８は、セット時点から第２設定時間、すなわち２０秒が経過したか否かを判定し、経過した場合にはステップｓ２７に進み、経過していない場合にはステップｓ１５に戻る。
【００６４】
ステップｓ１７で、マイコン部２８は、表示部１１ａ，１１ｂのうちメッセージＭ１がＯＳＤ表示されている方の表示部１１に対して、メッセージＭ１に代えてメニュー画面Ｍ３をＯＳＤ表示させ、ステップｓ１８に進む。
【００６５】
メニュー画面Ｍ３には、画面の調整のための項目と、各項目についての現在の値とが表示されている。図５に示す例では、３つの入力端子２１ａ〜２１ｃのうちの一の入力端子を選択するための「入力切替」、画面の位相を調整するための「位相調整」、画面の水平位置を調整するための「水平位置調整」、画面の垂直位置を調整するための「垂直位置調整」、画面の周波数を調整するための「周波数調整」の５つの項目と、各項目についての現在の値とが表示されている。なお、これら５つの項目だけでなく、画面のブライトネス（輝度）を調整するための項目や、画面のコントラストを調整するための項目、ディスプレイを調整や制御する内容が含まれていてもよい。
【００６６】
ステップｓ１８で、マイコン部２８は、メニューキーが操作されたか否かを判定し、操作されていない場合にはステップｓ１９に進み、操作された場合にはステップｓ２７に進む。
【００６７】
ステップｓ１９で、マイコン部２８は、セレクトキーが操作されたか否かを判定し、操作されていない場合にはステップｓ２０に進み、操作された場合にはステップｓ２２に進む。
【００６８】
ステップｓ２０で、マイコン部２８は、パラメータダウンキーが操作されたか否かを判定し、操作されていない場合にはステップｓ２１に進み、操作された場合にはステップｓ２３に進む。
【００６９】
ステップｓ２１で、マイコン部２８は、パラメータアップキーが操作されたか否かを判定し、操作されていない場合にはステップｓ２７に進み、操作された場合にはステップｓ２４に進む。
【００７０】
ステップｓ２２で、マイコン部２８は、メニュー画面Ｍ３において、選択項目を、現在選択中の項目から次の項目へ切替え、ステップｓ２５に進む。図５に示す例では、現在選択中の項目はハイライト表示されるように構成されており、この場合には、セレクトキーが操作されるたびに、ハイライト表示される項目が切り替わる。
【００７１】
ステップｓ２３で、マイコン部２８は、現在選択中の項目、すなわち図５に示す例ではハイライト表示されている項目について、設定パラメータを減少させる方向へ調整して、ステップｓ２５に進む。ステップｓ２４で、マイコン部２８は、現在選択中の項目について、設定パラメータを増加させる方向へ調整して、ステップｓ２５に進む。
【００７２】
ステップｓ２５で、マイコン部２８は、先にセットされたタイマーをリセットし、再び第２設定時間を計測するためのタイマーをセットして、ステップｓ２６に進む。
【００７３】
ステップｓ２６で、マイコン部２８は、セット時点から第２設定時間、すなわち２０秒が経過したか否かを判定し、経過した場合にはステップｓ２７に進み、経過していない場合には、ステップｓ１８へ戻る。
【００７４】
ステップｓ２７で、マイコン部２８は、一方の表示部１１にＯＳＤ表示されているメッセージＭ２と、他方の表示部１１にＯＳＤ表示されているメニュー画面Ｍ３とを画面から消去させるとともに、ユーザによりメニュー画面Ｍ３にて設定された値を用いて、メモリ部２２に格納されている画面設定情報を更新する。そして、ステップｓ４へ戻り、再び機能クリア状態となる。
【００７５】
図４を用いて、表示部１１ａの画面調整を行う場合について説明する。機能クリア状態において、表示部１１ａのためのトリガキーである操作キー１３ａが操作されると（ステップｓ５）、図４（ａ）に示すように、表示部１１ａの表示面１２ａにメッセージＭ１がＯＳＤ表示されるとともに（ステップｓ８）、図４（ｅ）に示すように、表示部１１ｂの表示面１２ｂにメッセージＭ２がＯＳＤ表示される（ステップｓ９）。
【００７６】
そして、メニューキーである操作キー１３ａが操作されると（ステップｓ１５）、図４（ｂ）に示すように、表示面１２ａにＯＳＤ表示されていたメッセージＭ１が、メニュー画面Ｍ３に切り替わる（ステップｓ１７）。このとき、表示部１１ｂの表示面１２ｂには、図４（ｆ）に示すように、依然としてメッセージＭ２がＯＳＤ表示されている。
【００７７】
そして、セレクトキーである操作キー１３ｂが操作されると（ステップｓ１９）、図４（ｃ）に示すように、メニュー画面Ｍ３においてハイライト表示される項目が切り替わる（ステップｓ２２）。このときも、表示部１１ｂの表示面１２ｂには、図４（ｇ）に示すように、依然としてメッセージＭ２がＯＳＤ表示されている。
【００７８】
そして、第２設定時間が経過するか（ステップｓ１６、ステップｓ２６）、あるいはメニュー画面Ｍ３がＯＳＤ表示されている状態で、メニューキーである操作キー１３ａが操作されると（ステップｓ１８）、図４（ｄ）に示すように、表示部１１ａの表示面１２ａからメニュー画面Ｍ３が消去されるとともに、図４（ｈ）に示すように、表示部１１ｂの表示面１２ｂからメッセージＭ２が消去される（ステップｓ２７）。
【００７９】
以上のように、本実施形態によれば、表示部１１ａを利用しているユーザおよび表示部１１ｂを利用しているユーザのいずれにとっても、メニューキー、セレクトキー、パラメータダウンキー、およびパラメータアップキーがこの順序で左から順に並ぶこととなる。すなわち、４つの設定機能の並び順が同じとなるように各操作キー１３ａ〜１３ｄに対して設定機能が割り当てられるので、ユーザは、どちらの表示部１１ａ，１１ｂを利用しているかに関係なく、操作キー群１３を直感的に操作することができる。したがって、共用される操作キー群１３を備える両面表示装置１０において、操作キー群１３に対するユーザの操作性をよくすることができる。
【００８０】
なお、本実施形態に係る両面表示装置１０は、操作キー群１３を、筐体１４における上壁部１４ａに一列に並べて構成されているが、これに限らず、複数列となるように並べて構成された場合であっても、上記のように、設定機能の並び順が同じとなるように各操作キーに対して設定機能を割り当てられることにより、同様の効果を奏することができる。
【符号の説明】
【００８１】
１０  両面表示装置
１１ａ，１１ｂ  表示部
１３ａ〜１３ｄ  操作キー
２８  マイコン部
【図１】
2014224959.tif 000003
【図２】
2014224959.tif 000004
【図３Ａ】
2014224959.tif 000005
【図３Ｂ】
2014224959.tif 000006
【図５】
2014224959.tif 000007
【図６】
2014224959.tif 000008
【図４】
2014224959.tif 000009